(57)【要約】【課題】来場者情報を確実に収集することができ、出展者および来場者にとって効率良く順番待ちを管理できる順番管理システム等を提供する。【解決手段】順番管理システムは、入場受付端末が取得した来場者情報を受信して来場者ＩＤを発行し、来場者ＩＤを入場受付端末に送信して識別コードを出力させる管理サーバと、出展者のブースに設置され、識別コードの読み取りを伴う新規の順番待ちの入力操作を受け付け、識別コードに対応する来場者ＩＤ及び出展者ＩＤを送信する順番受付端末と、上記ブースに設置され、順番待ちのステータスの変更操作に応じたステータス変更情報を生成して来場者ＩＤ及び出展者ＩＤと共に送信するステータス管理端末とを備え、管理サーバは順番受付端末から送信された来場者ＩＤ及び出展者ＩＤをもとに新規の順番待ちの登録を行い、ステータス管理端末から送信されたステータス変更情報に基づいて順番待ちのステータスを変更する。【選択図】図１
2017182590.tif 000002
【特許請求の範囲】
【請求項１】
入場受付端末とブース用端末と管理サーバとを含み、複数のブースが設けられた会場において、各ブースにおける来場者の順番待ちを管理する順番管理システムであって、
前記入場受付端末は、
第１のエリアに備えられ、
来場者から当該来場者に関する情報を受け付けて、前記管理サーバに送信する手段、
を含み、
前記管理サーバは、
前記来場者に関する情報を格納する来場者情報データベースと、
各ブースにおける前記来場者の順番待ちに関する情報を管理する順番管理データベースと、
前記入場受付端末から前記来場者に関する情報を受信したことに応答して、前記来場者を識別するための来場者識別情報を発行し、受信した前記来場者に関する情報を当該来場者識別情報と関連付けて前記来場者情報データベースに登録する手段と、
前記来場者識別情報に対応する識別コードを前記入場受付端末または前記来場者の有する来場者端末に出力させるために、前記来場者識別情報または前記識別コードを前記入場受付端末または前記来場者端末に送信する手段と、
を含み、
前記ブース用端末は、
前記複数のブースの各々に備えられ、
来場者から提示された識別コードを読み取り可能なリーダ装置と、
前記リーダ装置により識別コードを読み取ることによって新規の順番待ちを受け付け、読み取られた前記識別コードに対応する来場者識別情報と、当該ブースの出展者を識別するための出展者識別情報とを含む順番待ちの登録情報を、前記管理サーバに送信する手段と、
を含み、
前記管理サーバは、さらに、
前記複数のブース端末の各々から受信した前記登録情報を前記順番管理データベースに登録する手段と、
前記順番管理データベースに基づいて、各ブースにおける前記来場者の順番待ちを管理する手段と、
前記登録情報に含まれる来場者識別情報に関連付けて前記来場者情報データベースに登録されている前記来場者に関する情報を、前記前記登録情報に含まれる出展者識別情報により表される出展者に対して閲覧可能とする手段と、
を含む、順番管理システム。
【請求項２】
前記順番管理データベースが管理する情報は、順番待ちのステータスに関する情報を含み、
前記順番待ちのステータスは、順番が到来していないことを示す第１のステータスと、順番が到来して来場者を呼び出している最中であることを示す第２のステータスと、呼び出された来場者をブースに案内したことを示す第３のステータスと、を含み、
前記管理サーバは、来場者の来場者識別情報と、該来場者が訪問したブースの出展者の出展者識別情報とを関連付けて登録する履歴情報データベースをさらに有し、
前記ステータス管理部は、前記ステータス管理端末から受信したステータス変更情報が、前記順番待ちのステータスを前記第３のステータスに変更させる情報であった場合、当該ステータス変更情報に関する前記来場者識別情報および前記出展者識別情報を前記履歴情報データベースに登録する、
請求項１に記載の順番管理システム。
【請求項３】
前記ブース用端末は、前記リーダ装置による前記識別コードの読み取りを伴う入力操作を受け付けて、該識別コードに対応する来場者識別情報を、自身に登録された出展者識別情報と関連付けて前記管理サーバに送信する訪問受付機能をさらに備え、
前記管理サーバは、前記ブース用端末から受信した前記来場者識別情報および前記出展者識別情報を前記履歴情報データベースに登録する、
請求項２に記載の順番管理システム。
【請求項４】
前記管理サーバは、前記来場者識別情報をもとに前記順番管理データベースを検索することにより、当該来場者識別情報と関連付けられた順番待ちのステータスを抽出するステータス抽出部をさらに有する、請求項２または３に記載の順番管理システム。
【請求項５】
前記管理サーバは、前記出展者識別情報と関連付けられた来場者識別情報を前記履歴情報データベースから抽出し、抽出した前記来場者識別情報をもとに前記来場者情報データベースを検索することにより来場者情報を抽出する来場者情報抽出部をさらに有する、請求項２〜４のいずれか１項に記載の順番管理システム。
【請求項６】
第１のエリアに備えられ、来場者から当該来場者に関する情報を受け付ける入場受付端末と、複数のブースの各々に備えられ、来場者から提示された識別コードを読み取り可能なリーダ装置と、前記リーダ装置により識別コードを読み取ることによって新規の順番待ちを受け付け、読み取られた前記識別コードに対応する来場者識別情報と、当該ブースの出展者を識別するための出展者識別情報とを含む順番待ちの登録情報を送信する手段とを含むブース用端末とにネットワークを介して接続され、複数のブースが設けられた会場において、各ブースにおける来場者の順番待ちを管理する管理サーバであって、
前記管理サーバは、
前記来場者に関する情報を格納する来場者情報データベースと、
各ブースにおける前記来場者の順番待ちに関する情報を管理する順番管理データベースと、
前記入場受付端末から前記来場者に関する情報を受信したことに応答して、前記来場者を識別するための来場者識別情報を発行し、受信した前記来場者に関する情報を当該来場者識別情報と関連付けて前記来場者情報データベースに登録する手段と、
前記来場者識別情報に対応する識別コードを前記入場受付端末または前記来場者の有する来場者端末に出力させるために、前記来場者識別情報または前記識別コードを前記入場受付端末または前記来場者端末に送信する手段と、
前記複数のブース端末の各々から受信した前記登録情報を前記順番管理データベースに登録する手段と、
前記順番管理データベースに基づいて、各ブースにおける前記来場者の順番待ちを管理する手段と、
前記登録情報に含まれる来場者識別情報に関連付けて前記来場者情報データベースに登録されている前記来場者に関する情報を、前記前記登録情報に含まれる出展者識別情報により表される出展者に対して閲覧可能とする手段と、
を含む、管理サーバ。
【請求項７】
コンピュータに、
入場受付端末から来場者に関する情報を受信したことに応答して、前記来場者を識別するための来場者識別情報を発行し、受信した前記来場者に関する情報を当該来場者識別情報と関連付けて前記来場者に関する情報を格納する来場者情報データベースに登録すること、
前記来場者識別情報に対応する識別コードを前記入場受付端末または前記来場者の有する来場者端末に出力させるために、前記来場者識別情報または前記識別コードを前記入場受付端末または前記来場者端末に送信すること、
複数のブース端末の各々から受信した、リーダ装置により識別コードを読み取ることによって受け付けられた順番待ちの登録情報を、各ブースにおける前記来場者の順番待ちに関する情報を管理する順番管理データベースに登録すること、
前記順番管理データベースに基づいて、各ブースにおける前記来場者の順番待ちを管理すること、及び
前記登録情報に含まれる来場者識別情報に関連付けて前記来場者情報データベースに登録されている前記来場者に関する情報を、前記前記登録情報に含まれる出展者識別情報により表される出展者に対して閲覧可能とすること、
を実行させるためのプログラム。
【発明の詳細な説明】
【技術分野】
【０００１】
本発明は、展示会や見本市等のイベント会場における顧客の順番待ちを管理する管理技術に関する。
【背景技術】
【０００２】
従来、展示会や見本市等のイベント会場においては、来場者にネームホルダーを配り、自分の名刺を入れ、首にかけて会場内を回るように指示している。これにより、イベントへの出展者は、自身のブースを訪れた人が一般の来場者であるかまたは関係者であるかを識別することができ、来場者の名刺を収集することによって来場者の情報を収集する。
【０００３】
また、各ブースにおいては、来場者で混雑している場合に、来場者の入場制限や順番待ちの管理を個別に行っている。
【０００４】
イベント会場での来場者の情報収集に関する技術として、特許文献１には、携帯型装置を携帯したイベントの来場者が当該携帯型装置を操作してイベント関連情報を提示させながらイベントの提供を受け、イベントの提供者が携帯型装置から出力される操作内容情報を収集する操作内容情報管理システムが開示されている。
【０００５】
また、顧客の順番待ちに関する技術として、特許文献２には、金融機関での取引科目を顧客に選択させ、その取引科目に対応した伝票を印刷して発行する伝票発行端末を備えた窓口取引受け付けシステムが開示されている。
【先行技術文献】
【特許文献】
【０００６】
【特許文献１】特開２００２−２３０２１２号公報
【特許文献２】特開２００２−２０７８８５号公報
【発明の概要】
【発明が解決しようとする課題】
【０００７】
出展者には、ブースを訪れた来場者に案内や説明をしたりする他、展示物や配布物の管理をするなど、多くの業務がある。そのため、これらの業務に加えて来場者の順番待ちを管理することは大きな負担である。また、ブース内が混みあっている場合には、来場者から名刺を受け取ることができず、来場者情報の収集に漏れが生じることもある。また、来場者にとっては、個々のブースで並んで順番待ちをするのは効率が悪い。
【０００８】
本発明は、以上説明した事情を鑑みてなされたものであり、来場者情報を確実に収集することができ、且つ、出展者および来場者の双方にとって効率良く順番待ちを管理することができる順番管理システム、管理サーバおよびプログラムを提供することを目的の一つとする。
【課題を解決するための手段】
【０００９】
本発明の一態様である順番管理システムは、入場受付端末とブース用端末と管理サーバとを含み、複数のブースが設けられた会場において、各ブースにおける来場者の順番待ちを管理する順番管理システムを含む。入場受付端末は、第１のエリアに備えられ、来場者から当該来場者に関する情報を受け付けて、前記管理サーバに送信する手段、を含む。管理サーバは、前記来場者に関する情報を格納する来場者情報データベースと、各ブースにおける前記来場者の順番待ちに関する情報を管理する順番管理データベースと、前記入場受付端末から前記来場者に関する情報を受信したことに応答して、前記来場者を識別するための来場者識別情報を発行し、受信した前記来場者に関する情報を当該来場者識別情報と関連付けて前記来場者情報データベースに登録する手段と、前記来場者識別情報に対応する識別コードを前記入場受付端末または前記来場者の有する来場者端末に出力させるために、前記来場者識別情報または前記識別コードを前記入場受付端末または前記来場者端末に送信する手段と、を含む。ブース用端末は、前記複数のブースの各々に備えられ、来場者から提示された識別コードを読み取り可能なリーダ装置と、前記リーダ装置により識別コードを読み取ることによって新規の順番待ちを受け付け、読み取られた前記識別コードに対応する来場者識別情報と、当該ブースの出展者を識別するための出展者識別情報とを含む順番待ちの登録情報を、前記管理サーバに送信する手段と、を含む。管理サーバは、さらに、前記複数のブース端末の各々から受信した前記登録情報を前記順番管理データベースに登録する手段と、前記順番管理データベースに基づいて、各ブースにおける前記来場者の順番待ちを管理する手段と、前記登録情報に含まれる来場者識別情報に関連付けて前記来場者情報データベースに登録されている前記来場者に関する情報を、前記前記登録情報に含まれる出展者識別情報により表される出展者に対して閲覧可能とする手段と、
を含むものである。
【００１０】
また、順番管理システムにおいて、順番管理データベースが管理する情報は、順番待ちのステータスに関する情報を含み、前記順番待ちのステータスは、順番が到来していないことを示す第１のステータスと、順番が到来して来場者を呼び出している最中であることを示す第２のステータスと、呼び出された来場者をブースに案内したことを示す第３のステータスと、を含み、前記管理サーバは、来場者の来場者識別情報と、該来場者が訪問したブースの出展者の出展者識別情報とを関連付けて登録する履歴情報データベースをさらに有し、前記ステータス管理部は、前記ステータス管理端末から受信したステータス変更情報が、前記順番待ちのステータスを前記第３のステータスに変更させる情報であった場合、当該ステータス変更情報に関する前記来場者識別情報および前記出展者識別情報を前記履歴情報データベースに登録してもよい。
【００１１】
また、ブース用端末は、前記リーダ装置による前記識別コードの読み取りを伴う入力操作を受け付けて、該識別コードに対応する来場者識別情報を、自身に登録された出展者識別情報と関連付けて前記管理サーバに送信する訪問受付機能をさらに備え、前記管理サーバは、前記ブース用端末から受信した前記来場者識別情報および前記出展者識別情報を前記履歴情報データベースに登録してもよい。
【００１２】
また、順番管理システムにおいて、前記管理サーバは、前記来場者識別情報をもとに前記順番管理データベースを検索することにより、当該来場者識別情報と関連付けられた順番待ちのステータスを抽出するステータス抽出部をさらに有してもよい。
【００１３】
また、順番管理システムにおいて、前記管理サーバは、前記出展者識別情報と関連付けられた来場者識別情報を前記履歴情報データベースから抽出し、抽出した前記来場者識別情報をもとに前記来場者情報データベースを検索することにより来場者情報を抽出する来場者情報抽出部をさらに有してもよい。
【００１４】
本発明の別の態様である管理サーバは、入場受付端末と複数のブース端末にネットワークを介して接続され、複数のブースが設けられた会場において、各ブースにおける来場者の順番待ちを管理する管理サーバを含む。入場受付端末は、第１のエリアに備えられ、来場者から当該来場者に関する情報を受け付けることを含む。ブース端末は、複数のブースの各々に備えられ、来場者から提示された識別コードを読み取り可能なリーダ装置と、前記リーダ装置により識別コードを読み取ることによって新規の順番待ちを受け付け、読み取られた前記識別コードに対応する来場者識別情報と、当該ブースの出展者を識別するための出展者識別情報とを含む順番待ちの登録情報を送信する手段とを含む。ここで、管理サーバは、前記来場者に関する情報を格納する来場者情報データベースと、各ブースにおける前記来場者の順番待ちに関する情報を管理する順番管理データベースと、前記入場受付端末から前記来場者に関する情報を受信したことに応答して、前記来場者を識別するための来場者識別情報を発行し、受信した前記来場者に関する情報を当該来場者識別情報と関連付けて前記来場者情報データベースに登録する手段と、前記来場者識別情報に対応する識別コードを前記入場受付端末または前記来場者の有する来場者端末に出力させるために、前記来場者識別情報または前記識別コードを前記入場受付端末または前記来場者端末に送信する手段と、前記複数のブース端末の各々から受信した前記登録情報を前記順番管理データベースに登録する手段と、前記順番管理データベースに基づいて、各ブースにおける前記来場者の順番待ちを管理する手段と、前記登録情報に含まれる来場者識別情報に関連付けて前記来場者情報データベースに登録されている前記来場者に関する情報を、前記前記登録情報に含まれる出展者識別情報により表される出展者に対して閲覧可能とする手段と、を含む。
【００１５】
本発明のさらに別の態様であるプログラムは、コンピュータに、入場受付端末から来場者に関する情報を受信したことに応答して、前記来場者を識別するための来場者識別情報を発行し、受信した前記来場者に関する情報を当該来場者識別情報と関連付けて前記来場者に関する情報を格納する来場者情報データベースに登録すること、前記来場者識別情報に対応する識別コードを前記入場受付端末または前記来場者の有する来場者端末に出力させるために、前記来場者識別情報または前記識別コードを前記入場受付端末または前記来場者端末に送信すること、複数のブース端末の各々から受信した、リーダ装置により識別コードを読み取ることによって受け付けられた順番待ちの登録情報を、各ブースにおける前記来場者の順番待ちに関する情報を管理する順番管理データベースに登録すること、前記順番管理データベースに基づいて、各ブースにおける前記来場者の順番待ちを管理すること、及び前記登録情報に含まれる来場者識別情報に関連付けて前記来場者情報データベースに登録されている前記来場者に関する情報を、前記前記登録情報に含まれる出展者識別情報により表される出展者に対して閲覧可能とすること、を実行させるものである。
【発明の効果】
【００１６】
本発明によれば、入場受付端末において取得された来場者情報を管理サーバに蓄積すると共に、この来場者情報を取得した際に発行される来場者識別情報に対応する識別コードをリーダ装置で読み取ることにより、各ブースにおける来場者の順番待ちの受付を行うので、来場者情報と来場者の順番待ちとを関連付けて管理することができる。従って、来場者情報を確実に収集することができ、且つ、出展者および来場者の双方にとって効率良く順番待ちを管理することが可能となる。
【図面の簡単な説明】
【００１７】
【図１】本発明の実施形態に係る順番管理システムの概略構成を示す図である。
【図２】本発明の実施形態に係る順番管理システムが適用されるイベント会場を例示した図である。
【図３】図１に示す入場受付端末、退場受付端末、ステージ用端末、および客用端末として使用されるタブレット端末の主要構成を示すブロック図である。
【図４】モード切換ウィンドウを例示した図である。
【図５】図１に示すブース用端末として使用されるタブレット端末の主要構成を示すブロック図である。
【図６】本発明の実施形態に係る管理サーバの主要構成を示すブロック図である。
【図７】来場者情報データベースに格納される情報を例示した図である。
【図８】出展者情報データベースに格納される情報を例示した図である。
【図９】順番管理データベースに格納されるステータス管理テーブルを例示した図である。
【図１０】履歴情報データベースに格納される情報を例示した図である。
【図１１】本発明の実施形態に係る順番管理システムにおける入場受付動作を示すシーケンス図である。
【図１２】受付用端末に表示される入場受付画面を例示した図である。
【図１３】伝票に印刷された入場受付券を例示した図である。
【図１４】入場受付券を来場者端末の画面に表示させた例を示す図である。
【図１５】本発明の実施形態に係る順番管理システムにおけるブース訪問受付動作を示すシーケンス図である。
【図１６】訪問受付モードに設定されたブース用端末（訪問受付端末）に表示される訪問受付画面を例示した図である。
【図１７】訪問受付端末に表示される訪問受付完了画面を例示した図である。
【図１８】本発明の実施形態に係る順番管理システムにおける新規の順番待ち受付動作を示すシーケンス図である。
【図１９】順番受付モードに設定されたブース用端末（順番受付端末）に表示される順番受付画面を例示した図である。
【図２０】順番受付端末に表示される識別コード要求画面を例示した図である。
【図２１】順番受付端末に表示される順番受付完了画面を例示した図である。
【図２２】新規の順番待ちが追加されたステータス管理テーブルを例示した図である。
【図２３】ステータス操作モードに設定されたブース用端末（ステータス管理端末）に表示されるステータス操作画面を例示した図である。
【図２４】本発明の実施形態に係る順番管理システムにおける順番待ちのステータス変更動作を示すシーケンス図である。
【図２５】ブース訪問情報が登録された履歴情報データベースを例示した図である。
【図２６】本発明の実施形態に係る順番管理システムにおける予約動作を示すシーケンス図である。
【図２７】ステージ用端末に表示される予約画面を例示した図である。
【図２８】ステージ用端末に表示される予約受付画面を例示した図である。
【図２９】ステージ用端末に表示される予約受付完了画面を例示した図である。
【図３０】ステージ用端末に表示される警告画面を例示した図である。
【図３１】ステージ用端末に表示される警告画面を例示した図である。
【図３２】来場者ステータス情報を例示した図である。
【図３３】出展者別の来場者リストを例示した図である。
【図３４】退場受付端末に表示される退場受付画面を例示した図である。
【発明を実施するための形態】
【００１８】
以下、本発明の実施形態について図面を参照しつつ詳細に説明する。なお、同一の要素には同一の符号を付し、重複する説明を省略する。
【００１９】
実施の形態
本実施形態では、順番待ちを管理するイベント会場として、複数のブースやステージが設けられる展示会の会場施設を例に説明するが、これに限る趣旨ではなく、本発明に係る順番管理システムは、見本市、技術等の交流会、就職の合同説明会、コミックマーケット、学園祭など、会場に設けられた複数のブースや出店を来場者が巡回するあらゆる場面に適用可能である。
【００２０】
（１）実施形態の構成
図１は、本実施形態に係る順番管理システム１の概略構成を示す図である。また、図２は、この順番管理システム１が適用されるイベント会場を例示した図である。
【００２１】
図１に示す順番管理システム１は、イベント会場への来場者の順番待ちを管理するシステムである。同図に示すように、順番管理システム１は、本システム全体を管理する管理サーバ１０と、この管理サーバ１０と通信ネットワークＮを介して接続された入場受付端末１１と、退場受付端末１２と、ブース用端末１３と、ステージ用端末１４と、客用端末１５とを備える。また、この通信ネットワークＮには、来場者が携帯する来場者端末１６も随時接続される。
【００２２】
図２に示すように、イベント会場２の入口付近（第１のエリア）には入場受付３が設けられ、イベント会場２の出口付近には退場受付４が設けられている。また、イベント会場２内には、企業や団体等の出展者が出展する複数のブース５と、出展者やゲストが講演や発表等を行うためのステージ６と、コーナーテーブル７とが設けられている。図２においては、２つのステージ６が設けられており、各ステージ６の近傍には観覧者用の複数の椅子８が配置されている。
【００２３】
入場受付端末１１は、入場受付３に１つ以上設置され、イベント会場２に入場する来場者の入場受付を行うための端末装置である。また、入場受付端末１１には、入場を受け付けた旨の伝票（入場受付券）を印刷するプリンタを、有線または無線で接続してもよい。
退場受付端末１２は、退場受付４に１つ以上設置され、イベント会場２から退場する来場者の退場受付を行うための端末装置である。
【００２４】
ブース用端末１３は、各ブース５に１つ以上設置され、ブースを訪問する来場者の訪問や順番待ちを受け付けるための端末装置である。
ステージ用端末１４は、各ステージ６の近傍に１つ以上設置され、ステージ６における講演や発表のスケジュールを表示すると共に、これらの講演や発表の観覧予約を受け付けるための端末装置である。なお、ブース用端末１３とステージ用端末１４をまとめて、会場用端末と総称する。
【００２５】
客用端末１５は、各コーナーテーブル７に設置され、来場者に操作させることにより、当該来場者の順番待ち状況や当該来場者が訪問したブース５に関する情報等を表示するための端末装置である。
【００２６】
通信ネットワークＮは、管理サーバ１０、入場受付端末１１、退場受付端末１２、ブース用端末１３、ステージ用端末１４、および客用端末１５の間で相互に情報を送受信可能な通信網を含む。通信ネットワークＮは、例えば、インターネット、ＬＡＮ、専用線、電話回線、企業内ネットワーク、移動体通信網、ブルートゥース、ＷｉＦｉ（Wireless  Fidelity）、その他の通信回線、それらの組み合わせ等のいずれであってもよく、有線であるか無線であるかを問わない。
【００２７】
入場受付端末１１、退場受付端末１２、ブース用端末１３、ステージ用端末１４、および客用端末１５は、タブレット端末、パーソナルコンピュータ（ＰＣ）、ノートＰＣ、スマートフォン、携帯電話機、携帯情報端末（ＰＤＡ）など、通信ネットワークＮを介して他の通信機器とデータの授受が可能なあらゆる端末装置を利用することができる。本実施形態においては、タブレット端末に専用のアプリケーションをインストールし、このアプリケーションの実行中における動作モードを切り換えることにより、タブレット端末を、入場受付端末１１、退場受付端末１２、ブース用端末１３、ステージ用端末１４、または客用端末１５として使用する。なお、これらの端末装置として使用されるタブレット端末は、同一機種であってもよいし、異なる機種であってもよい。
【００２８】
図３は、入場受付端末１１、退場受付端末１２、ステージ用端末１４、および客用端末１５として使用されるタブレット端末の主要構成を示すブロック図である。図３に示すように、タブレット端末２００Ａは、通信インタフェース２１０と、撮像部（リーダ装置）２２０と、入力部２３０と、表示部２４０と、記憶部２５０と、プロセッサ２６０とを備える。
【００２９】
通信インタフェース２１０は、タブレット端末２００Ａを通信ネットワークＮに接続し、管理サーバ１０や通信ネットワークＮ上の他の端末と通信をするためのハードウェアモジュールである。通信インタフェース２１０は、例えば、ＩＳＤＮモデム、ＡＤＳＬモデム、ケーブルモデム、光モデム、ソフトモデム等の変調復調装置である。
【００３０】
撮像部２２０は、タブレット端末２００Ａに内蔵されたカメラである。本実施形態において、撮像部２２０は、来場者が持参した名刺を撮像する情報入力装置として、或いは、２次元コード等の識別コードを読み取るリーダ装置として用いられる。なお、タブレット端末２００Ａの代わりに、パーソナルコンピュータなど、撮像部２２０が設けられていない端末装置を用いる場合には、２次元コード等の識別コードを読み取り可能なリーダ装置を外付けにして用いられてもよい。
【００３１】
入力部２３０は、各種操作ボタンやタッチパネル２３１等の入力デバイスであり、タブレット端末２００Ａに対する各種入力操作を受け付ける。
表示部２４０は、例えば液晶ディスプレイにより構成され、タブレット端末２００Ａに対する各種入力操作を行うための操作画面や順番待ち状況等の情報を表示する。
【００３２】
記憶部２５０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶部２５０は、複数の物理デバイスを１つの論理デバイスにマッピングして構築してもよいし、１つの物理デバイスを複数の論理デバイスにマッピングして構築してもよい。
【００３３】
記憶部２５０は、オペレーティングシステムプログラム、ドライバプログラム、各種データ等を記憶する。ドライバプログラムとしては、例えば、通信インタフェース２１０を制御するための通信インタフェースドライバプログラム等がある。また、記憶部２５０は、これら各種プログラムや各種データのほか、プロセッサ２６０が実行することにより、イベント会場２への来場者を管理するための来場者管理アプリケーションＡＰ１を記憶している。
【００３４】
プロセッサ２６０は、算術演算、論理演算、ビット演算等を処理する算術論理演算ユニット（ＣＰＵなど）および各種レジスタから構成され、記憶部２５０に格納されている各種プログラムを実行することでタブレット端末２００Ａの各部を中枢的に制御する。各種レジスタは、例えば、プログラムカウンタ、データレジスタ、命令レジスタ、汎用レジスタ等である。
【００３５】
プロセッサ２６０が来場者管理アプリケーションＡＰ１を実行することにより実現される機能部には、入場受付モード実行部２６１と、退場受付モード実行部２６２と、ステータス抽出モード実行部２６３と、予約受付モード実行部２６４と、これらのモードを互いに切り換えるモード切換部２６５とが含まれる。
【００３６】
図４は、表示部２４０に表示されるモード切換ウィンドウを例示した図である。図４に示すように、モード切換ウィンドウＭには、入場受付モードを選択するためのボタンｍ０１と、退場受付モードを選択するためのボタンｍ０２と、ステータス抽出モードを選択するためのボタンｍ０３と、予約受付モードを選択するためのボタンｍ０４と、変更内容を決定するための変更ボタンｍ０５と、モード切換ウィンドウＭを閉じるための操作ボタンｍ０６とが設けられている。
【００３７】
モード切換操作は、イベントのスタッフや管理者などの操作権限を有する者によって行われる。操作権限を有する者が正しい施設ＩＤおよびパスコードをタブレット端末２００Ａに入力し、認証に成功すると、モード切換部２６５は、図４に示すモード切換ウィンドウＭを表示部２４０に表示させる。操作権限を有する者がタッチパネル２３１を操作することにより、入場受付モードと退場受付モードとステータス抽出モードと予約受付モードとのいずれかを選択し、モード切換ウィンドウＭを閉じると、選択されたモードが当該タブレット端末２００Ａに設定される。
【００３８】
＜入場受付モード＞
入場受付モードは、イベント会場２に入場する来場者の入場受付を行うモードである。入場受付モードに設定されたタブレット端末２００Ａは、入場受付端末１１として入場受付３に設置される。入場受付端末１１は、氏名、所属（会社名）、連絡先等の来場者に関する情報（以下、来場者情報という）の入力操作を受け付け、この来場者情報を管理サーバ１０に送信すると共に、管理サーバ１０において発行された来場者識別情報（以下、来場者ＩＤという）を表す識別コードを伝票（入場受付券）にプリントアウトするという一連の動作を実行するための手段を備える。或いは、入力受付端末１１が識別コードをプリントアウトする代わりに、管理サーバ１０または入力受付端末１１は、来場者が携帯する携帯電話やスマートフォン等の端末装置（来場者端末１６）に識別コードの画像を送信し、識別コードを含む入場受付券の画面を来場者端末１６に表示させるための手段を備えるものとしてもよい。
【００３９】
ここで、来場者ＩＤとしては、数字のみ（来場者番号）によって構成されていてもよいし、アルファベットや仮名等の符号、数字とアルファベット若しくは仮名の組み合わせであってもよい。また、来場者番号を用いる場合であっても、必ずしも連番（昇順）の数字を用いる必要はなく、ランダムに発行した数字であってもよい。来場者ＩＤは、後述するように、順番待ちの呼出にも使用されるため、来場者自身にとって識別しやすい情報であることが好ましい。
また、来場者ＩＤを表す識別コードとしては、撮像部２２０によって読み取り可能であれば、バーコードや２次元コード等の形式は問わない。
【００４０】
＜退場受付モード＞
退場受付モードは、イベント会場２から退場する来場者の退場受付を行うモードである。退場受付モードに設定されたタブレット端末２００Ａは、退場受付端末１２として退場受付４に設置される。退場受付端末１２は、一時退出または退出を選択する操作の入力を受け付けると共に、退場する来場者の識別コードを撮像部２２０によって読み取り、識別コードに対応する来場者ＩＤと共に一時退出または退出であることを表す退出情報を管理サーバ１０に送信するという一連の動作を実行する。
【００４１】
＜ステータス抽出モード＞
ステータス抽出モードは、管理サーバに蓄積された情報から、来場者の順番待ち状況や、来場者が訪問済みのブースに関する情報（以下、これらをまとめて来場者ステータス情報ともいう）を抽出して表示するモードである。ステータス抽出モードに設定されたタブレット端末２００Ａは、客用端末１５として、イベント会場２内の随所（例えばコーナーテーブル７等）に設置される。客用端末１５は、来場者の識別コードを撮像部２２０によって読み取り、識別コードに対応する来場者ＩＤと共に来場者ステータス情報の要求を管理サーバ１０に送信し、管理サーバ１０から受信した来場者ステータス情報を表示部２４０に表示する。
【００４２】
＜予約受付モード＞
予約受付モードは、ステージ６において行われる時間枠が決められた講演や発表の予約を受け付けるモードである。予約受付モードに設定されたタブレット端末２００Ａは、ステージ用端末１４として、ステージ６の近傍に設置される。ステージ用端末１４は、ステージ６における講演や発表のスケジュールを表示し、タッチパネル２３１への操作により来場者に所望の時間枠を選択させると共に、来場者の識別コードを撮像部２２０によって読み取る。そして、選択された時間枠における予約を受け付けた旨を示す予約情報を生成し、識別コードに対応する来場者ＩＤと共に管理サーバ１０に送信する。ここで、予約情報には、選択された時間枠の時間帯、ステージ６の識別情報、当該時間枠において講演又は発表を行う出展者の出展者ＩＤ、受付可能な人数（座席数）等の情報が含まれる。
【００４３】
図５は、ブース用端末１３として使用されるタブレット端末の主要構成を示すブロック図である。ブース用端末１３として使用されるタブレット端末２００Ｂのハード構成は、図３に示すタブレット端末２００Ａと同様であり、記憶部２５０に記憶させるアプリケーションが異なっている。具体的には、記憶部２５０は、当該ブース用端末１３が設置されるブースへの来場者の訪問や順番待ちを管理するためのブース管理アプリケーションＡＰ２を記憶している。また、各ブース用端末１３には、当該ブース用端末１３が設置されるブース５の出展者を識別するための出展者識別情報（以下、出展者ＩＤという）が登録（ブース管理用アプリケーションを出展者ＩＤでログインすることを含む）されている。
【００４４】
プロセッサ２６０がブース管理アプリケーションＡＰ２を実行することにより実現される機能部には、来場者の訪問受付を行う訪問受付モード実行部２６６と、来場者の順番待ちの受付を行う順番受付モード実行部２６７と、順番待ちのステータスを操作するためのステータス操作モード実行部２６８と、これらのモードを互いに切り換えるモード切換部２６９とが含まれる。なお、モード切換ウィンドウの概要やモード切換操作は、図４に例示して説明したものと同様である。
【００４５】
＜訪問受付モード＞
訪問受付モードは、ブース５が比較的空いているときなど、来場者が自由にブース５内に入って見学できる場合に設定されるモードである。訪問受付モード実行部２６６は、来場者がブース５を訪問した際に、来場者の識別コードを撮像部２２０によって読み取り、識別コードに対応する来場者ＩＤおよび当該タブレット端末２００Ｂに登録された出展者ＩＤを管理サーバ１０に送信する。これにより、管理サーバ１０において、来場者がブース５を訪問した旨の情報が登録され、ブース５の出展者に対して、当該来場者が登録した来場者情報を閲覧可能とするための処理が行われる。
【００４６】
＜順番受付モード＞
順番受付モードは、ブース５が来場者で混雑しているときや、対応できるスタッフが少ないときなど、来場者の入場制限を行う必要がある場合に設定されるモードであり、来場者自身に操作させることにより順番待ちを受け付けるモードである。詳細には、順番受付モード実行部２６７は、現在の待ち人数や待ち時間等の順番待ち状況を表示部２４０に表示する。また、順番受付モード実行部２６７は、タッチパネル２３１への操作により順番受付動作を開始し、来場者の識別コードを撮像部２２０によって読み取り、識別コードに対応する来場者ＩＤを当該タブレット端末２００Ｂに登録された出展者ＩＤと関連付けて、順番待ちの登録情報として管理サーバ１０に送信するための手段を含む。これにより、管理サーバ１０において、ブース５における来場者の順番待ちが登録されるとともに、ブース５の出展者に対して、当該来場者が登録した来場者情報を閲覧可能とするための処理が行われる。
【００４７】
＜ステータス操作モード＞
ステータス操作モードは、来場者の入場制限を行っている場合に設定されるモードであり、ブース５を管理する出展者のスタッフに操作させることにより順番待ちのステータスの変更等を行うモードである。詳細には、ステータス操作モード実行部２６８は、順番待ちが登録されている来場者ＩＤや順番待ちのステータスを表示部２４０に表示する。また、ステータス操作モード実行部２６８は、タッチパネル２３１への操作により順番待ちのステータスの変更を受け付けて、当該変更内容を表すステータス変更情報を生成し、ステータスが変更された来場者ＩＤおよび当該タブレット端末２００Ｂに登録された出展者ＩＤをステータス変更情報と共に管理サーバ１０に送信する。これにより、管理サーバ１０において、ブース５における順番待ちのステータスが変更される。
【００４８】
このようなブース用端末１３は、１つのブース５に１台設置して、訪問受付モード、順番受付モード、およびステータス操作モードを互いに切り換えながら使用してもよい。或いは、ブース５内が空いている場合には訪問受付モードに設定したブース用端末１３を１台のみ使用し、ブース５が混雑してきた場合に、このブース用端末１３を順番受付モードに切り替えると共に、ステータス操作モードに設定したブース用端末１３を別途使用してもよい。もちろん、３台のブース用端末１３を用意して、これらのブース用端末１３を訪問受付モード、順番受付モード、およびステータス操作モードにそれぞれ設定して使用してもよい。
【００４９】
図６は、管理サーバ１０の主要構成を示すブロック図である。管理サーバ１０は、例えば、演算処理能力の高いコンピュータによって構成され、所定のプログラムを実行することにより、通信ネットワークＮを介して接続される各端末装置と連携して来場者情報を管理すると共に、各ブース５における順番待ちを管理するサーバ機能を実現する。ここで、管理サーバ１０を構成するコンピュータは、必ずしも１台である必要はなく、通信ネットワークＮ上に分散する複数のコンピュータから構成されてもよい。
【００５０】
図６に示すように、管理サーバ１０は、通信インタフェース１１０と、記憶部１２０と、プロセッサ１３０とを備える。
通信インタフェース１１０は、通信ネットワークＮに接続し、通信ネットワークＮ上の他の端末と通信をするためのハードウェアモジュールである。通信インタフェース１１０は、例えば、ＩＳＤＮモデム、ＡＤＳＬモデム、ケーブルモデム、光モデム、ソフトモデム等の変調復調装置である。
【００５１】
記憶部１２０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶部１２０は、複数の物理デバイスを１つの論理デバイスにマッピングして構築してもよいし、１つの物理デバイスを複数の論理デバイスにマッピングして構築してもよい。
【００５２】
記憶部１２０は、オペレーティングシステムプログラムやドライバプログラムを含む各種プログラムおよびこれらのプログラムの実行中に使用される各種データを格納する。具体的には、記憶部１２０は、プロセッサ１３０に実行させる管理プログラムＡＰ３と、このプログラムの実行中に使用される来場者情報データベースＤＢ１、出展者情報データベースＤＢ２、順番管理データベースＤＢ３、および履歴情報データベースＤＢ４とを記憶している。
【００５３】
来場者情報データベースＤＢ１は、入場受付端末１１から送信される来場者情報が登録されるデータベースである。図７に示すように、来場者情報データベースには、来場者ＩＤ、来場者の氏名、所属（会社名）、会社住所、役職、連絡先（ＴＥＬ、Ｅ−ｍａｉｌ）等の個人情報と、業種や職種等の分類情報とが登録される。或いは、来場者の個人情報として、来場者が持参した名刺の画像そのものを格納してもよい。この他、来場者情報データベースＤＢ１に、来場者へのアンケートの回答を登録してもよい。
【００５４】
出展者情報データベースＤＢ２は、各ブース５の出展者に関する情報（以下、出展者情報という）が登録されるデータベースである。図８に示すように、出展者情報データベースＤＢ２には、出展者ＩＤおよびパスコード、ブース番号、出展者の会社名、会社住所、連絡先、イベントにおける担当者に関する情報等が登録されている。このうち、出展者ＩＤは、出展者を特定するための識別情報であり、各出展者に割り当てられたブース５で使用されるブース用端末１３に登録されている。また、出展者ＩＤは、出展者の端末装置から管理サーバ１０にアクセスする際のアカウントとして、パスコードと共に使用される。
【００５５】
また、出展者情報データベースＤＢ２には、当該イベントにおける出展者の出展資格を表す参加ランクが登録されている。参加ランクは、例えば、「ゴールド、シルバー、普通」といったシンボルや、「Ａ、Ｂ、Ｃ」といった符号によって表される。参加ランクは、当該イベントへの参加費用のランクや、イベントへの連続出展回数等に基づいて、イベント主催者が適宜設定する。参加ランクは、当該イベントに関する特典を出展者に与える際に用いられる。特典の内容は特に限定されないが、一例として、来場者情報データベースＤＢ１に登録された情報にアクセスできる範囲に差を設けることが挙げられる。具体例として、参加ランクがゴールドの出展者は、自社のブース５に来場した来場者に関する全ての来場者情報にアクセスできる、参加ランクがシルバーの出展者は、来場者情報のうち来場者の連絡先へのアクセスが制限される、参加ランクが普通の出展者は、来場者情報のうち氏名および会社名までしかアクセスできない、といった設定が可能である。
【００５６】
順番管理データベースＤＢ３は、各ブース５における順番待ちを管理するためのデータベースである。図９に示すように、順番管理データベースＤＢ３には、出展者ＩＤによって識別される出展者ごとのステータス管理テーブルＬ１、Ｌ２、…が格納されている。各ステータス管理テーブルＬ１、Ｌ２、…には、順番待ちが登録されている来場者ＩＤ、受付時刻、および順番待ちのステータスの他、来場者の氏名や連絡先（携帯番号、メールアドレス）等の情報が登録される。
【００５７】
また、順番管理データベースＤＢ３に、ステージ６における予約を管理するためのテーブル（予約テーブル）をさらに格納してもよい。この場合、予約テーブルには、ステージ６の識別情報、講演や発表の時間枠、当該時間枠を担当する出展者の出展者ＩＤ、予約が登録された来場者ＩＤ、来場者の連絡先、残席数等の情報が登録される。
或いは、ステージ６における予約に関する情報を、出展者別のステータス管理テーブルＬ１、Ｌ２、…において、順番待ちと共に一元的に管理してもよい。
【００５８】
ここで、本実施形態における順番待ちのステータスには、まだ来場者の順番が到来していない状態である「未呼出」（第１のステータス）と、順番が到来して来場者を呼び出している状態である「呼出中」（第２のステータス）と、呼び出した来場者をブース５内に案内した状態である「案内済」（第３のステータス）とがある。なお、順番待ちのステータスはこれらに限定されず、各ブース５の形態や出展者またはイベント主催者の意向等に応じて適宜設定することができる。
【００５９】
履歴情報データベースＤＢ４は、来場者がブースを訪問した履歴が登録されるデータベースである。図１０に示すように、履歴情報データベースＤＢ４には、出展者ＩＤ、ブース番号、来場者ＩＤ、訪問時刻等の情報が登録される。
【００６０】
プロセッサ１３０は、算術演算、論理演算、ビット演算等を処理する算術論理演算ユニット（ＣＰＵなど）および各種レジスタから構成され、記憶部１２０に格納されている各種プログラムを実行することにより管理サーバ１０の各部を中枢的に制御する。また、プロセッサ１３０は、管理プログラムＡＰ３を実行することにより、入場受付端末１１、退場受付端末１２、ブース用端末１３、ステージ用端末１４、および客用端末１５と連携して来場者情報管理機能および順番管理機能を実現する。
【００６１】
詳細には、プロセッサ１３０が管理プログラムＡＰ３を実行することにより実現される機能部には、入場処理部１３１と、退場処理部１３２と、訪問受付部１３３と、順番受付部１３４と、ステータス管理部１３５と、予約管理部１３６と、ステータス抽出部１３７と、来場者情報抽出部１３８とが含まれる。
【００６２】
入場処理部１３１は、入場受付端末１１から来場者情報を受信した場合に、来場者ＩＤを発行して入場受付端末１１に送信すると共に、受信した来場者情報を来場者情報データベースＤＢ１に登録する。例えば、入場処理部１３１は、入場受付端末１１から来場者情報を受信したことに応答して、来場者ＩＤを発行し、来場者情報と関連付けて来場者情報データベースＤＢ１に登録する手段と、来場者ＩＤに対応する識別コードを入場受付端末１１や来場者端末１６等に出力させるために、来場者ＩＤないし識別コードを入場受付端末１１や来場者端末１６に送信する手段とを有する。
【００６３】
退場処理部１３２は、退場受付端末１２から退出情報を受信した場合に、来場者情報データベースＤＢ１に対して当該来場者の退出登録を行う。具体的には、来場者情報データベースＤＢ１の当該来場者の情報に、一時退出または退出した旨を示すフラグを付加する。
【００６４】
訪問受付部１３３は、訪問受付モードに設定されたブース用端末１３から来場者ＩＤを受信した場合に、受信した来場者ＩＤ及び当該来場者ＩＤと関連付けられた出展者ＩＤを履歴情報データベースＤＢ４に登録する。
【００６５】
順番受付部１３４は、順番受付モードに設定されたブース用端末１３から来場者ＩＤをを含む順番待ちの登録情報を受信した場合に、受信した来場者ＩＤに関連付けられた出展者ＩＤをもとに、順番管理データベースＤＢ３からステータス管理テーブルを抽出し、新規の順番待ちを追加登録する手段を含む。
【００６６】
ステータス管理部１３５は、ステータス操作モードに設定されたブース用端末１３からステータス変更情報を受信した場合に、当該ステータス変更情報と関連付けられた出展者ＩＤをもとに、順番管理データベースＤＢ３からステータス管理テーブルを抽出し、該当する来場者ＩＤの順番待ちのステータスを変更する手段を含む。
【００６７】
予約管理部１３６は、ステージ用端末１４から予約情報を受信した場合に、当該予約情報を順番管理データベースＤＢ３に登録する手段を含む。
【００６８】
ステータス抽出部１３７は、客用端末１５から来場者ステータス情報の要求を受信した場合に、当該要求と関連付けられた来場者ＩＤをもとに順番管理データベースＤＢ３および履歴情報データベースＤＢ４を検索することにより、当該来場者の現在の順番待ち状況や、訪問済みのブースや出展者に関する情報を抽出し、客用端末１５に送信する手段を含む。
【００６９】
来場者情報抽出部１３８は、来場者が訪問受付や順番受付をしたブースのブース用端末１３または出展者の端末装置から、管理サーバ１０に対してアクセスがあった場合に、出展者ＩＤおよびパスコードによる認証を行った上で、当該出展者のブースを訪問ないし順番待ちをした来場者の来場者情報をブース用端末１３または出展者の端末装置に送信し閲覧可能とする手段を含む。
【００７０】
（２）実施形態の動作
次に、順番管理システム１の動作を説明する。
図１１は、順番管理システム１における入場受付動作を示すシーケンス図である。
まず、入場受付端末１１は、図１２に例示する入場受付画面Ｍ０１を表示部２４０に表示する（ステップＳ２０１）。入場受付画面Ｍ０１は、タッチパネル２３１の操作により来場者情報を入力させるための画面であり、来場者の氏名や所属、連絡先等の個人情報を入力させるための個人情報入力欄ｍ１０１と、業種や職種、その他アンケート項目を入力させるための任意情報入力欄ｍ１０２と、受付確認ボタンｍ１０３とを含む。なお、入場受付端末１１に外付けキーボードを接続し、このキーボードへの入力操作により上記各欄への情報の入力を受け付けてもよい。
【００７１】
或いは、入場受付画面Ｍ０１に情報を入力する代わりに、来場者が持参した名刺を撮像部２２０によって撮像し、名刺の画像から抽出したテキスト情報を入力受付画面Ｍ０１に自動入力することとしてもよい。さらには、撮像部２２０によって撮像した名刺の画像そのものを来場者情報として取得してもよい。
【００７２】
入場受付端末１１は、入場受付画面Ｍ０１に対する入力操作を検知すると（ステップＳ２０２：Ｙｅｓ）、来場者情報を管理サーバ１０に送信する（ステップＳ２０３）。他方、入場受付端末１１は、入力操作を検知しない場合（ステップＳ２０２：Ｎｏ）、入場受付画面Ｍ０１を表示し続ける。
【００７３】
管理サーバ１０は、来場者情報を受信すると（ステップＳ１０１）、来場者ＩＤを発行し（ステップＳ１０２）、この来場者ＩＤを入場受付端末１１に送信する（ステップＳ１０３）。また、管理サーバ１０は、受信した来場者情報を、発行した来場者ＩＤと関連付けて来場者情報データベースＤＢ１に登録する（ステップＳ１０４）。例えば図７は、新規の来場者情報（来場者ＩＤ：０１６５）が登録された状態を示している。
【００７４】
入場受付端末１１は、来場者ＩＤを受信し（ステップＳ２０４）、この来場者ＩＤを表す識別コードを発行し（ステップＳ２０５）、識別コードが表示された入場受付券を発行する（ステップＳ２０６）。
【００７５】
図１３は、伝票にプリントアウトされた入場受付券１７を例示した図である。入場受付券１７には、来場者ＩＤ（図１３においては「０１６５」）と、識別コード１８とが印刷されている。このように、入場受付券１７を紙の伝票として発行する場合、イベント主催者は、入場受付３にてネームホルダー１９を来場者に渡し、入場受付券１７をネームホルダーに入れて首からさげるよう来場者に指示するとよい。
また図１４は、識別コード１８を含む入場受付券の画面２０を来場者端末１６に表示させた例を示す図である。
【００７６】
図１５は、順番管理システム１におけるブース訪問受付動作を示すシーケンス図である。以下においては、訪問受付モードに設定されたブース用端末１３のことを訪問受付端末という。
【００７７】
訪問受付端末は、図１６に例示する訪問受付画面Ｍ０２を表示部２４０に表示する（ステップＳ３０１）。図１６に示すように、訪問受付画面Ｍ０２には、入場受付券の識別コード１８（図１３、図１４参照）を撮像部２２０（カメラ）にかざす旨の指示が表示されている。
【００７８】
来場者が指示に従って識別コード１８を撮像部２２０にかざし、訪問受付端末が識別コード１８を検知すると（ステップＳ３０２：Ｙｅｓ）、訪問受付端末は、識別コード１８に対応する来場者ＩＤを、自身に登録された出展者ＩＤと共に管理サーバ１０に送信する（ステップＳ３０３）。続いて、訪問受付端末は、図１７に例示する訪問受付完了画面Ｍ０３を表示部２４０に表示する（ステップＳ３０４）。他方、訪問受付端末は、識別コード１８を検知しない場合（ステップＳ３０２：Ｎｏ）、訪問受付画面Ｍ０２を表示し続ける。
【００７９】
管理サーバ１０は、来場者ＩＤを受信すると（ステップＳ１１１）、当該来場者がブースを訪問した履歴情報として、受信した来場者ＩＤおよび出展者ＩＤを履歴情報データベースＤＢ４に登録する（ステップＳ１１２）。例えば図１０においては、出展者ＩＤ：５００１のブース（ブース番号：Ａ００１）に、来場者ＩＤ：０００９の来場者が１０：３０に訪問したことを示している。
【００８０】
図１８は、順番管理システム１における新規の順番待ち受付動作を示すシーケンス図である。以下においては、順番受付モードに設定されたブース用端末１３を順番受付端末といい、ステータス操作モードに設定されたブース用端末１３をステータス管理端末という。
【００８１】
順番受付端末は、図１９に例示する順番受付画面Ｍ０４を表示部２４０に表示させる（ステップＳ４０１）。順番受付画面Ｍ０４は、タッチパネル２３１の操作により新規の順番待ちの受付を開始する画面であり、順番待ちリストが表示されるリスト表示欄ｍ０４１と、順番待ちをしている来場者の数や待ち時間が表示される順番待ち状況表示欄ｍ０４２と、受付開始ボタンｍ０４３とを含む。順番待ちリストには、来場者ＩＤと受付時刻とが表示される。
【００８２】
順番受付端末は、受付開始ボタンｍ０４３に対する所定の操作（例えばタップ操作）を検知すると（ステップＳ４０２：Ｙｅｓ）、図２０に例示する識別コード要求画面Ｍ０５を表示部２４０に表示して、識別コード１８の提示を要求する。他方、順番受付端末は、所定の操作を検知しない場合（ステップＳ４０２：Ｎｏ）、順番受付画面Ｍ０４を表示し続ける（ステップＳ４０１）。
【００８３】
来場者が識別コード１８を提示し、順番受付端末が識別コード１８を検知すると（ステップＳ４０３：Ｙｅｓ）、順番受付端末は、識別コード１８に対応する来場者ＩＤを当該ブース用端末１３に登録された出展者ＩＤと関連付けて管理サーバ１０に送信する（ステップＳ４０４）。続いて、順番受付端末は、図２１に例示する順番受付完了画面Ｍ０６を表示部２４０に表示する（ステップＳ４０５）。他方、順番受付端末は、識別コード１８を検知しない場合（ステップＳ４０３：Ｎｏ）、所定時間が経過した後で再び順番受付画面Ｍ０４を表示する（ステップＳ４０１）。
【００８４】
管理サーバ１０は、順番受付端末から来場者ＩＤを受信すると（ステップＳ１２１）、受信した来場者ＩＤと関連付けられた出展者ＩＤをもとに順番管理データベースＤＢ３からのステータス管理テーブルを抽出し、新規の順番待ちを追加して更新する（ステップＳ１２２）。図２２は、出展者ＩＤ：５００２のステータス管理テーブルに対して、来場者ＩＤ：０１６５の順番待ちが追加された状態を示している。
【００８５】
続いて、管理サーバ１０は、更新したステータス管理テーブルに基づく最新の順番待ち状況に関する情報（以下、ステータス情報という）を順番受付端末およびステータス管理端末に送信する（ステップＳ１２３）。
【００８６】
順番受付端末は、最新のステータス情報を受信し（ステップＳ４０６）、このステータス情報に基づいて順番受付画面Ｍ０４を更新表示する（ステップＳ４０７）。具体的には、順番待ちリスト表示欄ｍ０４１（図１９参照）に、新規の順番待ちを追加表示すると共に、現在の待ち人数および現在の待ち時間を更新する。
【００８７】
また、ステータス管理端末は、図２３に例示するステータス操作画面Ｍ０７を表示している（ステップＳ５０１）。ステータス操作画面Ｍ０７は、タッチパネル２３１の操作により順番待ちのステータスの変更を受け付ける画面であり、順番待ちリストが表示されるリスト表示欄ｍ０７１と、現在の待ち人数および待ち時間が表示される順番待ち状況表示欄ｍ０７２と、現在呼出中の来場者ＩＤが表示される呼出ＩＤ表示欄ｍ０７３とを含む。
【００８８】
リスト表示欄ｍ０７１の各行ｍ０７４には、待ち順と、来場者ＩＤと、受付時刻と、現在の順番待ちのステータスとが表示されている。このうち、先頭の行ｍ０７４（来場者ＩＤ：０１２３の行）には、ステータスを変更するための操作ボタン群ｍ０７５が展開して表示されている。この操作ボタン群ｍ０７５は、例えばステータスの変更対象とする行を右から左へとスワイプするといった所定の操作により表示されるようになっている。
【００８９】
操作ボタン群ｍ０７５のうち、「取消」は、順番待ちをキャンセルする際に操作される。「呼出」は、順番が到来した来場者を呼び出す際に操作される。「案内」は、順番が到来した来場者をブース５内に案内する際に操作される。なお、ステータスの変更操作は、「取消」、「呼出」、「案内」に限定する趣旨ではなく、管理者等が適宜設定および変更することが可能である。
【００９０】
ステータス管理端末は、管理サーバ１０から最新のステータス情報を受信すると（ステップＳ５０２）、このステータス情報に基づいてステータス操作画面Ｍ０７の順番待ちリスト表示欄ｍ０７１を更新表示する（ステップＳ５０３）。図２３は、図２２に示すステータス管理テーブルにおける来場者ＩＤ：０１６５に対応する新規の順番待ちが追加された状態を示している。
【００９１】
図２４は、順番管理システム１における順番待ちのステータス変更動作を示すシーケンス図である。ここで、順番受付端末は、図１９に例示する順番受付画面Ｍ０４を表示している（ステップＳ４０８）。また、ステータス管理端末は、図２３に例示するステータス操作画面Ｍ０７を表示している（ステップＳ５０４）。
【００９２】
ブース５のスタッフは、順番待ちのステータスを変更する場合、ステータス管理端末に表示されたステータス操作画面Ｍ０７に対してステータス変更操作を行う。即ち、順番待ちリスト表示欄ｍ０７１の先頭の行ｍ０７４（図２３においては来場者ＩＤ：０１２３の行）をスワイプして操作ボタン群ｍ０７５を表示させ、所望の操作ボタン（取消、呼出、案内のいずれか）をタップする。
【００９３】
ステータス管理端末は、ステータス変更操作を検知すると（ステップＳ５０５：Ｙｅｓ）、このステータス変更操作に応じたステータス変更情報を生成し、当該ステータス変更操作に係る来場者ＩＤおよび自身に登録された出展者ＩＤと共に管理サーバ１０に送信する（ステップＳ５０５）。他方、ステータス管理端末は、ステータス変更操作を検知しない場合（ステップＳ５０５：Ｎｏ）、ステータス操作画面Ｍ０７を表示し続ける。
【００９４】
管理サーバ１０は、ステータス管理端末からステータス変更情報を受信すると（ステップＳ１２４）、出展者ＩＤをもとに順番管理データベースＤＢ３からステータス管理テーブルを抽出し、該当する来場者ＩＤのステータスを変更して更新する（ステップＳ１２５）。
【００９５】
管理サーバ１０は、変更対象の順番待ちにおける変更後のステータスが「案内済」であった場合（ステップＳ１２６：Ｙｅｓ）、来場者がブースを訪問した履歴情報として、変更対象の来場者ＩＤおよび出展者ＩＤを履歴情報データベースＤＢ４に登録する（ステップＳ１２７）。例えば図２５に示す履歴情報データベースＤＢ４においては、出展者ＩＤ：５００２のブース（ブース番号：Ａ００２）に、来場者ＩＤ：０１２３の来場者が１０：５１に案内されたことを示している。
【００９６】
管理サーバ１０は、変更対象の順番待ちにおける変更後のステータスが「案内済」ではなく（ステップＳ１２６：Ｎｏ）、「呼出中」であった場合（ステップＳ１２８：Ｙｅｓ）、来場者ＩＤをもとに来場者情報データベースＤＢ１を検索し、当該来場者の呼出を行う（ステップＳ１２９）。具体的には、来場者情報データベースＤＢ１に登録された連絡先に電話をかけたり、メールを送信したりする。もちろん、ブース５においてスタッフが口頭で呼び出しを行ってもよい。
【００９７】
さらに、管理サーバ１０は、更新したステータス管理テーブルに基づく最新のステータス情報を、順番受付端末およびステータス管理端末に送信する（ステップＳ１３０）。
【００９８】
順番受付端末は、最新のステータス情報を受信し（ステップＳ４０９）、このステータス情報に基づいて順番受付画面Ｍ０４を更新表示する（ステップＳ４１０）。また、ステータス管理端末も、最新のステータス情報を受信し（ステップＳ５０７）、このステータス情報に基づいてステータス操作画面Ｍ０７の順番待ちリストを更新表示する（ステップＳ５０８）。
【００９９】
ここで、１人の来場者が同時に順番待ちを登録できる件数に上限を設定しておいてもよい。例えば、同時に順番待ちを登録できる件数を３件に設定する場合、管理サーバ１０は、順番受付端末から来場者ＩＤを受信した際に、この来場者ＩＤをもとに順番管理データベースＤＢ３を検索することにより当該来場者の順番待ち状況を抽出し、順番待ちの上限数に達しているか否かを確認する。そして、順番待ちの上限数に達している場合には、さらなる順番待ちの登録をできない旨の警告を順番受付端末に送信する。
【０１００】
また、１人の来場者が同時に複数の順番待ちを登録する場合の条件を設定しておいてもよい。例えば、順番が到来する予定時刻の間隔が１５分未満となるような順番待ちは登録することができない、といった条件を設定してもよい。詳細には、管理サーバ１０は、順番受付端末から来場者ＩＤを受信した際に、この来場者ＩＤをもとに順番管理データベースＤＢ３を検索することにより当該来場者の順番待ち状況を抽出し、先に登録された順番待ちの順番が到来する予定時刻と、新規に登録しようとする順番待ちの順番が到来する予定時刻とを算出して、両予定時刻の間隔を評価する。ここで、順番が到来する予定時刻は、予め各ブースにおける来場者１人あたりの待ち時間を登録しておき、この待ち時間と現在の待ち人数とから算出することができる。
【０１０１】
図２６は、順番管理システム１における予約受付動作を示すシーケンス図である。
ステージ用端末１４は、図２７に例示する予約画面Ｍ０８を表示部２４０に表示する（ステップＳ６０１）。予約画面Ｍ０８は、ステージ用端末１４が備えられているステージ６における講演や発表のスケジュール表ｍ０８１を含む。このスケジュール表ｍ０８１には、所定の時間ごとに区切られた時間枠と、それぞれの時間枠における発表者およびタイトルと、それぞれの時間枠における残席数と、予約ボタンｍ０８２とが表示されている。なお、予約がいっぱいで残席数がない時間枠（例えば１３：００〜１３：２０の時間枠）については、予約ボタンを表示しなくてもよい。
【０１０２】
来場者は、所望の時間枠の予約ボタンｍ０８２をタップすることで、予約の申込みを開始する。ステージ用端末１４は、予約ボタンｍ０８２に対する操作を検知すると（ステップＳ６０２：Ｙｅｓ）、図２８に例示する予約受付画面Ｍ０９を表示部２４０に表示し、識別コードの提示を要求する。他方、ステージ用端末１４は、予約ボタンｍ０８２に対する操作を検知しない場合（ステップＳ６０２：Ｎｏ）、予約画面Ｍ０８を表示し続ける（ステップＳ６０１）
【０１０３】
来場者が識別コード１８を提示し、ステージ用端末１４が識別コード１８を検知すると（ステップＳ６０３：Ｙｅｓ）、ステージ用端末１４は、識別コード１８に対応する来場者ＩＤおよび当該時間枠に関する予約情報を管理サーバ１０に送信する（ステップＳ６０４）。他方、ステージ用端末１４は、識別コード１８を検知しない場合（ステップＳ６０３：Ｎｏ）、所定時間が経過した後で予約画面Ｍ０８を再び表示する（ステップＳ６０１）。
【０１０４】
管理サーバ１０は、来場者ＩＤおよび予約情報を受信すると（ステップＳ１３１）、来場者ＩＤをもとに順番管理データベースＤＢ３（図９参照）を検索することにより、当該来場者の予約状況を抽出する（ステップＳ１３２）。
【０１０５】
管理サーバ１０は、当該予約を行うことができる場合（ステップＳ１３３：Ｙｅｓ）、具体的には、来場者が別の予約を行っていない場合、或いは、別の予約を行っているが、今回の予約とは時間帯が重なっていない場合、順番管理データベースＤＢ３に当該予約を登録する（ステップＳ１３４）。
【０１０６】
反対に、管理サーバ１０は、当該予約を行うことができない場合（ステップＳ１３３：Ｎｏ）、具体的には、来場者が今回の予約と時間帯が重なる別の予約を行っている場合、ステージ用端末１４に警告を送信する（ステップＳ１３５）。
【０１０７】
ステージ用端末１４は、警告を受信しない場合（ステップＳ６０５：Ｎｏ）、図２９に例示する予約完了画面Ｍ１０を表示部２４０に表示する（ステップＳ６０６）。
【０１０８】
他方、ステージ用端末１４は、警告を受信した場合（ステップＳ６０５：Ｙｅｓ）、図３０に例示する警告画面Ｍ１１を表示部２４０に表示する（ステップＳ６０７）。この警告画面Ｍ１１においては、予約を行うことができない旨のメッセージを表示すると共に、例えばボタンｍ１１１、ｍ１１２に示すように、先の予約をキャンセルして今回の予約を行うか、今回の予約を行わないかの選択肢を来場者に与えてもよい。
【０１０９】
ここで、管理サーバ１０は、ステップＳ１３３において、今回の予約が別の予約と競合するか否かだけでなく、個々のブースにおける順番待ちと競合するか否かの判断を行ってもよい。詳細には、管理サーバ１０は、来場者ＩＤをもとに当該来場者の順番待ち状況を抽出すると共に、順番が到来する予定時刻を算出し、今回の予約の時間帯に順番の予定時刻が重なる順番待ちがあるか否かを判定する。そして、今回の予約の時間帯に順番の予定時刻が重なる順番待ちがある場合、図３１に例示する警告画面Ｍ１２を表示部２４０に表示する。この警告画面Ｍ１２においては、予約と順番待ちが重なる旨のメッセージを表示すると共に、例えばボタンｍ１２１、ｍ１２２に示すように、順番待ちをキャンセルして予約を行うか、予約を行わないかの選択肢を来場者に与えてもよい。
【０１１０】
来場者は、現在の順番待ち状況や予約状況あるいは既に訪問したブースに関する情報（来場者ステータス情報）を把握したいとき、自身の携帯端末（来場者端末１６）や客用端末１５を操作することにより、これらの情報を取得することができる。例えば、入場受付の際に自身の来場者端末１６で来場者ＩＤを受け取った場合には（図１４参照）、この来場者端末１６から管理サーバ１０に向けて、来場者ステータス情報の要求を送信することができる。また、客用端末１５の表示部２４０に表示される指示に従って識別コード１８を読み取らせることにより、客用端末１５から管理サーバ１０に来場者ステータス情報の要求を送信することができる。
【０１１１】
管理サーバ１０は、来場者端末１６または客用端末１５から来場者ステータス情報の要求を受信すると、来場者ＩＤをもとに順番管理データベースＤＢ３および履歴情報データベースＤＢ４を検索し、現在の順番待ちおよび予約に関する情報（出展者、ブース、順番待ちのステータス、待ち時間、予約時刻等）や、既に訪問したブースに関する情報（出展者、訪問時刻等）を抽出して来場者端末１６または客用端末１５に送信する。来場者端末１６または客用端末１５は、図３２に例示する形式で、受信した来場者ステータス情報を一覧表示する。
【０１１２】
出展者は、自身のブースを訪問した来場者に関する情報を取得したいとき、ブース用端末１３または通信ネットワークＮに接続可能な端末装置を用いて管理サーバ１０にアクセスし、来場者情報を要求する。この際、当日中または当該イベント期間中に訪問した来場者の情報を包括して要求してもよいし、個々の来場者の情報を随時（例えば、来場者がブースを訪問する都度）要求してもよい。後者の場合、ブース用端末１３が訪問受付を行った際に、来場者ＩＤと共に来場者情報の要求を自動で送信することとしてもよい。
【０１１３】
管理サーバ１０は、ブース用端末１３またはその他の端末装置から、正しい出展者ＩＤとパスコードによるアクセスがあった場合、履歴情報データベースＤＢ４を検索し、当該出展者の出展者ＩＤと関連付けられた来場者ＩＤを抽出し、さらに、抽出した来場者ＩＤをもとに来場者情報データベースＤＢ１を検索して来場者情報を抽出する。そして、抽出した来場者情報をブース用端末１３または出展者の端末装置に送信し、図３３に例示する形式でこれらの情報を表示させる。この際、管理サーバ１０は、出展者の参加ランクに応じた範囲の来場者情報のみをブース用端末１３またはその他の端末装置に送信する。
【０１１４】
図３４は、退場受付端末１２に表示される退場受付画面を例示した図である。来場者がイベント会場２から退場する際には、この退場受付画面Ｍ１３への操作により退場受付を行う。退場受付端末１２は、一時退出を選択するボタンｍ１３１への操作を検知し、さらに識別コード１８を検知すると、当該識別コード１８に対応する来場者ＩＤと共に一時退出登録要求を管理サーバ１０に送信する。管理サーバ１０は、一時退出登録要求を受信すると、当該来場者ＩＤの来場者情報に、一時退出したことを示すフラグを付加する。この場合、来場者は、入場受付の際に発行済みの識別コード１８を提示すると、来場者情報の入力（図１２参照）を省略することができる。
【０１１５】
また、退場受付端末１２は、退出を選択するボタンｍ１３２への操作を検知し、さらに識別コード１８を検知すると、当該識別コード１８に対応する来場者ＩＤと共に退出登録要求を管理サーバ１０に送信する。管理サーバ１０は、退出登録要求を受信すると、当該来場者ＩＤの来場者情報に、退出したことを示すフラグを付加する。この場合、来場者は、入場受付の際に発行済みの識別コード１８を提示しても無効となり、再び来場者情報を入力しなければならない。
【０１１６】
以上説明したように、上記実施形態によれば、入場受付の際に発行された来場者ＩＤを表す識別コード１８を用いて、各ブースにおける順番待ちの登録を行うので、出展者および来場者の双方にとって効率良く順番待ちを管理することができる。また、上記実施形態によれば、入場受付の際に入力された来場者情報を来場者ＩＤによって管理し、来場者が訪問したブースの出展者の出展者ＩＤと紐づけて情報を蓄積するので、出展者は、自身のブースを訪問した来場者に関する情報を確実に収集することが可能となる。
【符号の説明】
【０１１７】
１…順番管理システム
２…イベント会場
３…入場受付
４…退場受付
５…ブース
６…ステージ
７…コーナーテーブル
８…椅子
１０…管理サーバ
１１…入場受付端末
１２…退場受付端末
１３…ブース用端末
１４…ステージ用端末
１５…客用端末
１６…来場者端末
１７…入場受付券
１８…識別コード
１９…ネームホルダー
２０…画面
１１０…通信インタフェース
１２０、２５０…記憶部
１３０、２６０…プロセッサ
１３１…入場処理部
１３２…退場処理部
１３３…訪問受付部
１３４…順番受付部
１３５…ステータス管理部
１３６…予約管理部
１３７…ステータス抽出部
１３８…来場者情報抽出部
２００Ａ…タブレット端末
２００Ｂ…タブレット端末
２１０…通信インタフェース
２２０…撮像部
２３０…入力部
２３１…タッチパネル
２４０…表示部
２６１…入場受付モード実行部
２６２…退場受付モード実行部
２６３…ステータス抽出モード実行部
２６４…予約受付モード実行部
２６５、２６９…モード切換部
２６６…訪問受付モード実行部
２６７…順番受付モード実行部
２６８…ステータス操作モード実行部
ＡＰ１…来場者管理アプリケーション
ＡＰ２…ブース管理アプリケーション
ＡＰ３…管理プログラム
ＤＢ１…来場者情報データベース
ＤＢ２…出展者情報データベース
ＤＢ３…順番管理データベース
ＤＢ４…履歴情報データベース
【図１】
2017182590.tif 000003
【図２】
2017182590.tif 000004
【図３】
2017182590.tif 000005
【図４】
2017182590.tif 000006
【図５】
2017182590.tif 000007
【図６】
2017182590.tif 000008
【図７】
2017182590.tif 000009
【図８】
2017182590.tif 000010
【図９】
2017182590.tif 000011
【図１０】
2017182590.tif 000012
【図１１】
2017182590.tif 000013
【図１２】
2017182590.tif 000014
【図１３】
2017182590.tif 000015
【図１４】
2017182590.tif 000016
【図１５】
2017182590.tif 000017
【図１６】
2017182590.tif 000018
【図１７】
2017182590.tif 000019
【図１８】
2017182590.tif 000020
【図１９】
2017182590.tif 000021
【図２０】
2017182590.tif 000022
【図２１】
2017182590.tif 000023
【図２２】
2017182590.tif 000024
【図２３】
2017182590.tif 000025
【図２４】
2017182590.tif 000026
【図２５】
2017182590.tif 000027
【図２６】
2017182590.tif 000028
【図２７】
2017182590.tif 000029
【図２８】
2017182590.tif 000030
【図２９】
2017182590.tif 000031
【図３０】
2017182590.tif 000032
【図３１】
2017182590.tif 000033
【図３２】
2017182590.tif 000034
【図３３】
2017182590.tif 000035
【図３４】
2017182590.tif 000036
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
入場受付端末とブース用端末と管理サーバとを含み、複数のブースが設けられた会場において、各ブースにおける来場者の順番待ちを管理する順番管理システムであって、
前記入場受付端末は、
第１のエリアに備えられ、
来場者から当該来場者に関する情報を受け付けて、前記管理サーバに送信する手段、
を含み、
前記管理サーバは、
前記来場者に関する情報を格納する来場者情報データベースと、
各ブースにおける前記来場者の順番待ちに関する情報を管理する順番管理データベースと、
前記入場受付端末から前記来場者に関する情報を受信したことに応答して、前記来場者を識別するための来場者識別情報を発行し、受信した前記来場者に関する情報を当該来場者識別情報と関連付けて前記来場者情報データベースに登録する手段と、
前記来場者識別情報に対応する識別コードを前記入場受付端末または前記来場者の有する来場者端末に出力させるために、前記来場者識別情報または前記識別コードを前記入場受付端末または前記来場者端末に送信する手段と、
を含み、
前記ブース用端末は、
前記複数のブースの各々に備えられ、
来場者から提示された識別コードを読み取り可能なリーダ装置と、
前記リーダ装置により識別コードを読み取ることによって新規の順番待ちを受け付け、読み取られた前記識別コードに対応する来場者識別情報と、当該ブースの出展者を識別するための出展者識別情報とを含む順番待ちの登録情報を、前記管理サーバに送信する手段と、
を含み、
前記管理サーバは、さらに、
前記複数のブース用端末の各々から受信した前記登録情報を前記順番管理データベースに登録する手段と、
前記順番管理データベースに基づいて、各ブースにおける前記来場者の順番待ちを管理する手段と、
前記登録情報に含まれる来場者識別情報に関連付けて前記来場者情報データベースに登録されている前記来場者に関する情報を、前記登録情報に含まれる出展者識別情報により表される出展者に対して閲覧可能とする手段と、
を含む、順番管理システム。
【請求項２】
前記順番管理データベースが管理する情報は、順番待ちのステータスに関する情報を含み、
前記順番待ちのステータスは、順番が到来していないことを示す第１のステータスと、順番が到来して来場者を呼び出している最中であることを示す第２のステータスと、呼び出された来場者をブースに案内したことを示す第３のステータスと、を含み、
前記管理サーバは、来場者の来場者識別情報と、該来場者が訪問したブースの出展者の出展者識別情報とを関連付けて登録する履歴情報データベースをさらに有し、
前記管理サーバは、前記ブース用端末から受信したステータス変更情報が、前記順番待ちのステータスを前記第３のステータスに変更させる情報であった場合、当該ステータス変更情報に関する前記来場者識別情報および前記出展者識別情報を前記履歴情報データベースに登録する、
請求項１に記載の順番管理システム。
【請求項３】
前記ブース用端末は、前記リーダ装置による前記識別コードの読み取りを伴う入力操作を受け付けて、該識別コードに対応する来場者識別情報を、自身に登録された出展者識別情報と関連付けて前記管理サーバに送信する訪問受付機能をさらに備え、
前記管理サーバは、前記ブース用端末から受信した前記来場者識別情報および前記出展者識別情報を前記履歴情報データベースに登録する、
請求項２に記載の順番管理システム。
【請求項４】
前記管理サーバは、前記来場者識別情報をもとに前記順番管理データベースを検索することにより、当該来場者識別情報と関連付けられた順番待ちのステータスを抽出するステータス抽出部をさらに有する、請求項２または３に記載の順番管理システム。
【請求項５】
前記管理サーバは、前記出展者識別情報と関連付けられた来場者識別情報を前記履歴情報データベースから抽出し、抽出した前記来場者識別情報をもとに前記来場者情報データベースを検索することにより来場者情報を抽出する来場者情報抽出部をさらに有する、請求項２〜４のいずれか１項に記載の順番管理システム。
【請求項６】
第１のエリアに備えられ、来場者から当該来場者に関する情報を受け付ける入場受付端末と、複数のブースの各々に備えられ、来場者から提示された識別コードを読み取り可能なリーダ装置と、前記リーダ装置により識別コードを読み取ることによって新規の順番待ちを受け付け、読み取られた前記識別コードに対応する来場者識別情報と、当該ブースの出展者を識別するための出展者識別情報とを含む順番待ちの登録情報を送信する手段とを含むブース用端末とにネットワークを介して接続され、複数のブースが設けられた会場において、各ブースにおける来場者の順番待ちを管理する管理サーバであって、
前記管理サーバは、
前記来場者に関する情報を格納する来場者情報データベースと、
各ブースにおける前記来場者の順番待ちに関する情報を管理する順番管理データベースと、
前記入場受付端末から前記来場者に関する情報を受信したことに応答して、前記来場者を識別するための来場者識別情報を発行し、受信した前記来場者に関する情報を当該来場者識別情報と関連付けて前記来場者情報データベースに登録する手段と、
前記来場者識別情報に対応する識別コードを前記入場受付端末または前記来場者の有する来場者端末に出力させるために、前記来場者識別情報または前記識別コードを前記入場受付端末または前記来場者端末に送信する手段と、
前記複数のブース用端末の各々から受信した前記登録情報を前記順番管理データベースに登録する手段と、
前記順番管理データベースに基づいて、各ブースにおける前記来場者の順番待ちを管理する手段と、
前記登録情報に含まれる来場者識別情報に関連付けて前記来場者情報データベースに登録されている前記来場者に関する情報を、前記登録情報に含まれる出展者識別情報により表される出展者に対して閲覧可能とする手段と、
を含む、管理サーバ。
【請求項７】
コンピュータに、
入場受付端末から来場者に関する情報を受信したことに応答して、前記来場者を識別するための来場者識別情報を発行し、受信した前記来場者に関する情報を当該来場者識別情報と関連付けて前記来場者に関する情報を格納する来場者情報データベースに登録すること、
前記来場者識別情報に対応する識別コードを前記入場受付端末または前記来場者の有する来場者端末に出力させるために、前記来場者識別情報または前記識別コードを前記入場受付端末または前記来場者端末に送信すること、
複数のブース用端末の各々から受信した、リーダ装置により識別コードを読み取ることによって受け付けられた順番待ちの登録情報を、各ブースにおける前記来場者の順番待ちに関する情報を管理する順番管理データベースに登録すること、
前記順番管理データベースに基づいて、各ブースにおける前記来場者の順番待ちを管理すること、及び
前記登録情報に含まれる来場者識別情報に関連付けて前記来場者情報データベースに登録されている前記来場者に関する情報を、前記登録情報に含まれる出展者識別情報により表される出展者に対して閲覧可能とすること、
を実行させるためのプログラム。